(57)【要約】      （修正有）【課題】楽な姿勢で作業ができ、大きな力を必要とせず、力のない人間でも使用することができ、焦点を定めやすく、命中率が非常に大きい上、除氷作業を力や技術のない女性、子供、老人でも容易にできるようになる。【解決手段】軸棒と、軸棒の一端に接合されたグリップと、先端が鋭利に形成され、軸棒の他端に取り外し可能に取り付けられた衝撃受刃と、衝撃受刃の上方に軸棒に沿ってスライド可能に配置された錘とを備え、衝撃受刃の先端を対象物に略垂直に突き立てるように落下させると、錘が軸棒に沿ってスライドし衝撃受刃の上部に当たって衝撃受刃に衝撃力を与え、これにより、衝撃受刃を介して対象物に加えられる力が増大するように構成されている。【選択図】図２
0003102616.tif 000002
【実用新案登録請求の範囲】
【請求項１】
軸棒と、軸棒の一端に接合されたグリップと、先端が鋭利に形成され、軸棒の他端に取り外し可能に取り付けられた衝撃受刃と、衝撃受刃の上方に軸棒に沿ってスライド可能に配置された錘とを備え、前記グリップの、軸棒との接合側の端部には、前記錘の軸棒からの脱落を防ぐためのストッパー部分が設けられており、衝撃受刃の先端を対象物に略垂直に突き立てるように落下させると、錘が軸棒に沿ってスライドし衝撃受刃の上部に当たって衝撃受刃に衝撃力を与え、これにより、衝撃受刃を介して対象物に加えられる力が増大するように構成されていることを特徴とする手動式衝撃クラッシャー。
【考案の詳細な説明】
【技術分野】
【０００１】  本考案は、手動式衝撃クラッシャーに関する。より詳細には、本考案は、楽な姿勢で容易に氷を割ったり土の塊を砕いたり穴をあけたり地面を固めたり杭を打込んだりする為の用具に関するものである。
【背景技術】
【０００２】  従来の除氷や土の塊を粉砕する場合は、つるはしやスコップ等を用い、危険であり、大きな力、用具を使いこなす技術を必要とし、また対象物以外の部分を破損する事が非常に多く不便であり、困難な作業であり、従来の方法としては次に記述する如きもので、その概要を記載する。
イ．  つるはしを用いて、刃先を振り下ろし砕く方法。
ロ．  スコップで砕く方法。
ハ．  金棒で突いて砕く方法。
ニ．  ハンマーで叩き割る方法。
ホ．  地面を固めたり杭を打込むには、槌やかなづちを使う。
ヘ．  穴をあける時は、先の尖った金棒などを使う。
以上の方法が行われているのが従来の技術である。
【考案の開示】
【考案が解決しようとする課題】
【０００３】  イ．の方法は、つるはしの重さに耐える力と技術が必要であり使用する人が制限され、刃先を対象物に命中させる技術が困難であり、対象物以外を対象物以外を破損する恐れがある。
ロ．の方法は、スコップは軽量で非能率的で時間的無駄が多く作業効率が悪い。
ハ．の方法は、刃先を対象物に命中させる技術が困難である。
ニ．の方法は、対象物以外を破損する恐れがあり、対象物に当たる面が平面のため体力と時間を浪費しコストが増大する。
ホ．の方法は、振り下ろすのに力が必要であり、中腰で作業をするため腰や肩腕に負担がかかる。
ヘ．目的の深さになるまで、力と時間がかかる。
【考案が解決するための手段】
【０００４】  本願考案の手動式衝撃クラッシャーは軸捧と、軸棒の一端に接合されたグリップと、先端が鋭利に形成され、軸棒の他端に取り外し可能に取り付けられた衝撃受刃と、衝撃受刃の上方に軸棒に沿ってスライド可能に配置された錘とを備え、前記グリップの、軸棒との接合側の端部には、前記錘の軸棒からの脱落を防ぐためのストッパー部分が設けられており、衝撃受刃の先端を対象物に略垂直に突き立てるように落下させると、錘が軸棒に沿ってスライドし衝撃受刃の上部に当たって衝撃受刃に衝撃力を与え、これにより、衝撃受刃を介して対象物に加えられる力が増大するように構成されていることを特徴とするものである。
【考案の効果】
【０００５】  本願考案の手動式衝撃クラッシャーは、垂直に持ち上げて落とすだけなので、楽な姿勢で作業ができ、大きな力を必要とせず、錘の重量を変えることにより、使用するのに必要とする力の大小を加減できるので、力のない人間でも使用することができ、焦点を定めやすく、命中率が非常に大きい上、対象が氷の場合、表面にひびを入れることによって割るため氷の下の土間やタイル等を損傷することなく、これまで技術と体力を必要とし、限られた人しかできず、危険であった除氷作業が、性別、年令を問わず容易に誰でも出来る作業になる。冬季の厚雪現場や着氷現場では除氷の際、氷を砕いてから処理をすると非常に効率が良く、本件考案の手動式衝撃クラッシャーを使用することにより、除氷作業を力や技術のない者でも容易にできるようになり、時間と体力と経費のコストを大きく軽減することが可能になり、冬季工事の能率を上げる事に非常に役立ち、家庭での除氷も、力や技術のない女性、子供、老人でも容易に行う事が出来、衝撃受刃を変えることにより、用途を変える事ができる。
【考案を実施するための最良の形態】
【０００６】  次に図面を参照して、本考案の好ましい実施の形態に係る手動式衝撃クラッシャーについて詳細に説明する。
本考案の手動式衝撃クラッシャー１は、任意の長さと太さの軸棒３を有し、軸棒３の軸棒の一端３ａはオスネジ状になっているが、結合方法は必ずしもねじ状である必要はない。他端３ｂはオスネジ状になっている。
ストッパー兼用のグリップ２には、メスネジ状の穴２ｂがあいており、軸棒３の一端３ａのオスネジ部分と結合し固定する。この時結合方法は必ずしもネジである必要はない。【０００７】  衝撃受刃５は先端５ｂが鋭利になっており、衝撃受刃上部５ａの中央にはメスネジ状の穴５ｃがあいており、これを軸棒３の他端３ｂのオスネジ部分と結合して固定するが、後述するように、用途によって取り替えることが出来る。接合方法はねじ以外の接合方法、例えばはめ込み式でもかまわない。【０００８】  錘４には中央にスライド穴４ａがあいており、軸棒一端３ａか軸棒他端３ｂから軸棒３に通すが、この時錘のスライド穴４ａの直径は、軸棒３の直径よりも僅かに大きいものとし、軸棒に沿ってスライドするように衝撃受刃５の上部に配置するが、錘４の重量は必要に応じて変えることが出来る。【０００９】  手動式衝撃クラッシャー１の材料は軸棒３、錘４、衝撃受刃５は、衝撃に強く腐敗しにくいように金属を用いるが、グリップ２は木、合成樹脂等任意の材料で形成して良い。
グリップ２は、軸棒との接合側の端部に錘４の脱落を防ぎ、スライド範囲を制限するためのストッパー部分が設けられており、グリップとストッパーを兼用している。
衝撃受刃５を変える事により、対象物の質や用途を変える事が出来、冬季除氷のための氷割の他、土の塊を砕く、杭打ちの穴をあける、杭を打ち込む、コンクリートを砕く等、条件、形状、質の違う対象物に対して幅広く使用できる。
錘４の重量を変える事により、使用するのに必要とする力の大小を加減でき、年齢性別や力の大小を問わず使用する人間の能力に合わせて使用できる。【０００１０】  手動式衝撃クラッシャー１を縦にしてグリップ２を上にして持ち、垂直に持ち上げて、衝撃受刃先端５ｂが対象物に垂直に当たるように落下させると、錘４が軸棒をスライドして落下し、衝撃受刃の上部５ａに衝撃を与える事により、衝撃受刃先端５ｂに数倍の力が加わり大きな衝撃となり、対象物を安全かつ容易に砕くことが出来、氷割等の作業における時間と体力のコストを大きく軽減できる。
さらに錘４や衝撃受刃５を交換することにより、多目的に使用範囲が拡大され、誰もが簡単に対象物を砕く事ができる。【００１１】  垂直に持ち上げて落とすだけなので、つるはしやスコップを使うときのような大きな力を必要とせず、対象物までの距離が少ないため焦点を定めやすく、命中率が非常に大きい上、対象物が氷の場合、表面にひびを入れることによって割るため氷の下の土間やタイル等を損傷することが極めて少ない。
【図面の簡単な説明】
【００１２】
【図１】        本考案にかかる手動式衝撃クラッシャー本体を横から見た正面図。
【図２】        本考案にかかる手動式衝撃クラッシャー本体を横から見た断面図。
【図３】        図１のグリップを横から見た断面図。
【図４】        図１の軸棒を横から見た正面図。
【図５】        図１の錘を横から見た断面図。
【図６】        図１の衝撃受刃を横上から見た断面図。
【符号の説明】
【００１３】１    手動式衝撃クラッシャー本体
２    グリップ
３    軸棒
４    錘
５    衝撃受刃
２ａ  ストッパー部分
２ｂ  軸棒一端用はめ込みネジメス穴
３ａ  一端はめ込みネジオス部分
３ｂ  他端はめ込みネジオス部分
４ａ  スライド穴
５ａ  衝撃受刃上部
５ｂ  衝撃受刃先端
５ｃ  軸棒他端用はめ込みメスネジ穴
【図１】
0003102616.tif 000003
【図２】
0003102616.tif 000004
【図３】
0003102616.tif 000005
【図４】
0003102616.tif 000006
【図５】
0003102616.tif 000007
【図６】
0003102616.tif 000008